(57)【要約】開示の態様にしたがって、無線通信のための方法、装置、およびコンピュータ・プログラム製品が提供される。この方法、装置、およびコンピュータ・プログラム製品は、第１のノードとの第１のピア接続を提供し、第２のノードとの第２のピア接続を提供し、第１のピア接続と第２のピア接続とによって、第１のノードと第２のノードとの間の通信を調整する、ように構成されうる。
2013527706.tif 000002
【特許請求の範囲】
【請求項１】
無線通信のための方法であって、
Ｘ２プロキシによって第１のノードとの第１のピア接続を提供することと、
Ｘ２プロキシによって第２のノードとの第２のピア接続を提供することと、
前記第１のピア接続と前記第２のピア接続とによって、前記第１のノードと前記第２のノードとの間のＸ２通信を調整することと、
を備える方法。
【請求項２】
前記第２のノードのネットワーク・アドレスを求める要求を、前記第１のノードから受信することと、
前記要求に基づいて、前記第２のノードのネットワーク・アドレスを獲得することと、
前記獲得された第２のノードのネットワーク・アドレスに基づいて、前記第１のピア接続と前記第２のピア接続とによって、前記第１のノードと前記第２のノードとの間の通信を調整することと、
をさらに備える請求項１に記載の方法。
【請求項３】
前記要求を受信することは、前記第１のノードとモビリティ管理エンティティとの間で、前記要求をインターセプトすることを備える、請求項２に記載の方法。
【請求項４】
前記要求は、前記第２のノードのネットワーク・アドレスを要求するＳ１メッセージを備え、
前記第２のノードのネットワーク・アドレスは、前記第２のノードのインターネット・プロトコル（ＩＰ）アドレスを備える、請求項２に記載の方法。
【請求項５】
Ｘ２プロキシによって、前記第１のノードとの第１のピア接続を確立すること
をさらに備え、
前記第１のピア接続は、前記第１のノードとの第１のＸ２通信チャネルを備える、請求項１に記載の方法。
【請求項６】
Ｘ２プロキシによって、前記第２のノードとの第２のピア接続を確立することをさらに備え、
前記第２のピア接続は、前記第２のノードとの第２のＸ２通信チャネルを備える、請求項１に記載の方法。
【請求項７】
前記第１のノードとの第１のピア接続を確立するために、Ｘ２インタフェース・アプリケーション・プロトコルを利用することと、
前記第２のノードとの第２のピア接続を確立するために、Ｘ２インタフェース・アプリケーション・プロトコルを利用することと、
をさらに備える請求項１に記載の方法。
【請求項８】
前記第１のピア接続は、前記第１のノードとのピア・トゥ・ピア通信のための第１のＸ２インタフェースを備え、
前記第２のピア接続は、前記第２のノードとのピア・トゥ・ピア通信のための第２のＸ２インタフェースを備える、請求項１に記載の方法。
【請求項９】
前記第１のノードは、第１のイボルブド・ノードＢデバイスを備え、
前記第２のノードは、第２のイボルブド・ノードＢデバイスを備え、
前記第１のイボルブド・ノードＢデバイスと前記第２のイボルブド・ノードＢデバイスとは、ピア・トゥ・ピア通信ネットワークにおけるピアである、
請求項１に記載の方法。
【請求項１０】
前記第１のノードと前記第２のノードは、ロング・ターム・イボリューション無線通信ネットワークにある、請求項１に記載の方法。
【請求項１１】
装置であって、
Ｘ２プロキシによって第１のノードとの第１のピア接続を提供し、
Ｘ２プロキシによって第２のノードとの第２のピア接続を提供し、
前記第１のピア接続と前記第２のピア接続とによって、前記第１のノードと前記第２のノードとの間のＸ２通信を調整する
ように構成された処理システム、
を備える装置。
【請求項１２】
前記処理システムはさらに、
前記第２のノードのネットワーク・アドレスを求める要求を、前記第１のノードから受信し、
前記要求に基づいて、前記第２のノードのネットワーク・アドレスを獲得し、
前記獲得された第２のノードのネットワーク・アドレスに基づいて、前記第１のピア接続と前記第２のピア接続とによって、前記第１のノードと前記第２のノードとの間の通信を調整する
ように構成された、請求項１１に記載の装置。
【請求項１３】
前記要求を受信することは、前記第１のノードとモビリティ管理エンティティとの間で、前記要求をインターセプトすることを備える、請求項１２に記載の装置。
【請求項１４】
前記要求は、前記第２のノードのネットワーク・アドレスを要求するＳ１メッセージを備え、
前記第２のノードのネットワーク・アドレスは、前記第２のノードのインターネット・プロトコル（ＩＰ）アドレスを備える、請求項１２に記載の装置。
【請求項１５】
前記処理システムはさらに、Ｘ２プロキシによって、前記第１のノードとの第１のピア接続を確立するように構成され、
前記第１のピア接続は、前記第１のノードとの第１のＸ２通信チャネルを備える、請求項１１に記載の装置。
【請求項１６】
前記処理システムはさらに、Ｘ２プロキシによって、前記第２のノードとの第２のピア接続を確立するように構成され、
前記第２のピア接続は、前記第２のノードとの第２のＸ２通信チャネルを備える、請求項１１に記載の装置。
【請求項１７】
前記処理システムはさらに、
前記第１のノードとの第１のピア接続を確立するために、Ｘ２インタフェース・アプリケーション・プロトコルを利用し、
前記第２のノードとの第２のピア接続を確立するために、Ｘ２インタフェース・アプリケーション・プロトコルを利用する
ように構成された、請求項１１に記載の装置。
【請求項１８】
前記第１のピア接続は、前記第１のノードとのピア・トゥ・ピア通信のための第１のＸ２インタフェースを備え、
前記第２のピア接続は、前記第２のノードとのピア・トゥ・ピア通信のための第２のＸ２インタフェースを備える、
請求項１１に記載の装置。
【請求項１９】
前記第１のノードは、第１のイボルブド・ノードＢデバイスを備え、
前記第２のノードは、第２のイボルブド・ノードＢデバイスを備え、
前記第１のイボルブド・ノードＢデバイスと前記第２のイボルブド・ノードＢデバイスとは、ピア・トゥ・ピア通信ネットワークにおけるピアである、
請求項１１に記載の装置。
【請求項２０】
前記第１のノードと前記第２のノードは、ロング・ターム・イボリューション無線通信ネットワークにある、請求項１１に記載の装置。
【請求項２１】
装置であって、
Ｘ２プロキシによって、第１のノードとの第１のピア接続を提供する手段と、
Ｘ２プロキシによって、第２のノードとの第２のピア接続を提供する手段と、
前記第１のピア接続と前記第２のピア接続とによって、前記第１のノードと前記第２のノードとの間のＸ２通信を調整する手段と、
を備える装置。
【請求項２２】
前記第２のノードのネットワーク・アドレスを求める要求を、前記第１のノードから受信する手段と、
前記要求に基づいて、前記第２のノードのネットワーク・アドレスを獲得する手段と、
前記獲得された第２のノードのネットワーク・アドレスに基づいて、前記第１のピア接続と前記第２のピア接続とによって、前記第１のノードと前記第２のノードとの間の通信を調整する手段と、
をさらに備える請求項２１に記載の装置。
【請求項２３】
前記要求を受信する手段は、前記第１のノードとモビリティ管理エンティティとの間で、前記要求をインターセプトする手段を備える、請求項２２に記載の装置。
【請求項２４】
前記要求は、前記第２のノードのネットワーク・アドレスを要求するＳ１メッセージを備え、
前記第２のノードのネットワーク・アドレスは、前記第２のノードのインターネット・プロトコル（ＩＰ）アドレスを備える、
請求項２２に記載の装置。
【請求項２５】
Ｘ２プロキシによって、前記第１のノードとの第１のピア接続を確立する手段をさらに備え、
前記第１のピア接続は、前記第１のノードとの第１のＸ２通信チャネルを備える、
請求項２１に記載の装置。
【請求項２６】
Ｘ２プロキシによって、前記第２のノードとの第２のピア接続を確立する手段をさらに備え、
前記第２のピア接続は、前記第２のノードとの第２のＸ２通信チャネルを備える、
請求項２１に記載の装置。
【請求項２７】
前記第１のノードとの第１のピア接続を確立するために、Ｘ２インタフェース・アプリケーション・プロトコルを利用する手段と、
前記第２のノードとの第２のピア接続を確立するために、Ｘ２インタフェース・アプリケーション・プロトコルを利用する手段と、
をさらに備える請求項２１に記載の装置。
【請求項２８】
前記第１のピア接続は、前記第１のノードとのピア・トゥ・ピア通信のための第１のＸ２インタフェースを備え、
前記第２のピア接続は、前記第２のノードとのピア・トゥ・ピア通信のための第２のＸ２インタフェースを備える、
請求項２１に記載の装置。
【請求項２９】
前記第１のノードは、第１のイボルブド・ノードＢデバイスを備え、
前記第２のノードは、第２のイボルブド・ノードＢデバイスを備え、
前記第１のイボルブド・ノードＢデバイスと前記第２のイボルブド・ノードＢデバイスとは、ピア・トゥ・ピア通信ネットワークにおけるピアである、
請求項２１に記載の装置。
【請求項３０】
前記第１のノードと前記第２のノードは、ロング・ターム・イボリューション無線通信ネットワークにある、請求項２１に記載の装置。
【請求項３１】
コンピュータ・プログラム製品であって、
装置に対して、
Ｘ２プロキシによって第１のノードとの第１のピア接続を提供させ、
Ｘ２プロキシによって第２のノードとの第２のピア接続を提供させ、
前記第１のピア接続と前記第２のピア接続とによって、前記第１のノードと前記第２のノードとの間のＸ２通信を調整させる、
ように実行可能なコード、
を備えるコンピュータ読取可能な媒体を備える、コンピュータ・プログラム製品。
【請求項３２】
前記コンピュータ読取可能な媒体はさらに、装置に対して、
前記第２のノードのネットワーク・アドレスを求める要求を、前記第１のノードから受信させ、
前記要求に基づいて、前記第２のノードのネットワーク・アドレスを獲得させ、
前記獲得された第２のノードのネットワーク・アドレスに基づいて、前記第１のピア接続と前記第２のピア接続とによって、前記第１のノードと前記第２のノードとの間の通信を調整させる、
ように実行可能なコードを備える、請求項３１に記載のコンピュータ・プログラム製品。
【請求項３３】
前記要求を受信することは、前記第１のノードとモビリティ管理エンティティとの間で、前記要求をインターセプトすることを備える、請求項３２に記載のコンピュータ・プログラム製品。
【請求項３４】
前記要求は、前記第２のノードのネットワーク・アドレスを要求するＳ１メッセージを備え、
前記第２のノードのネットワーク・アドレスは、前記第２のノードのインターネット・プロトコル（ＩＰ）アドレスを備える、
請求項３２に記載のコンピュータ・プログラム製品。
【請求項３５】
前記コンピュータ読取可能な媒体はさらに、装置に対して、
Ｘ２プロキシによって、前記第１のノードとの第１のピア接続を確立させるように実行可能なコードを備え、
前記第１のピア接続は、前記第１のノードとの第１のＸ２通信チャネルを備える、請求項３１に記載のコンピュータ・プログラム製品。
【請求項３６】
前記コンピュータ読取可能な媒体はさらに、装置に対して、
Ｘ２プロキシによって、前記第２のノードとの第２のピア接続を確立させるように実行可能なコードを備え、
前記第２のピア接続は、前記第２のノードとの第２のＸ２通信チャネルを備える、
請求項３１に記載のコンピュータ・プログラム製品。
【請求項３７】
前記コンピュータ読取可能な媒体はさらに、装置に対して、
前記第１のノードとの第１のピア接続を確立するために、Ｘ２インタフェース・アプリケーション・プロトコルを利用させ、
前記第２のノードとの第２のピア接続を確立するために、Ｘ２インタフェース・アプリケーション・プロトコルを利用させる
ように実行可能なコードを備える、請求項３１に記載のコンピュータ・プログラム製品。
【請求項３８】
前記第１のピア接続は、前記第１のノードとのピア・トゥ・ピア通信のための第１のＸ２インタフェースを備え、
前記第２のピア接続は、前記第２のノードとのピア・トゥ・ピア通信のための第２のＸ２インタフェースを備える、
請求項３１に記載のコンピュータ・プログラム製品。
【請求項３９】
前記第１のノードは、第１のイボルブド・ノードＢデバイスを備え、
前記第２のノードは、第２のイボルブド・ノードＢデバイスを備え、
前記第１のイボルブド・ノードＢデバイスと前記第２のイボルブド・ノードＢデバイスとは、ピア・トゥ・ピア通信ネットワークにおけるピアである、
請求項３１に記載のコンピュータ・プログラム製品。
【請求項４０】
前記第１のノードと前記第２のノードは、ロング・ターム・イボリューション無線通信ネットワークにある、請求項３１に記載のコンピュータ・プログラム製品。
【発明の詳細な説明】
【関連出願に対する相互参照】
【０００１】
本願は、全体が本明細書において参照によって明確に組み込まれている２０１０年４月３０日出願の「チャイルド・イボルブド・ノードＢのためのＸ２設定」（X2 Setup for Child Evolved NodeB）と題された米国仮出願６１／３３０，２４６号の優先権および利益を主張する。
【技術分野】
【０００２】
本開示は、一般に、通信システムに関し、さらに詳しくは、無線システムにおけるピア通信を調整することに関する。
【背景技術】
【０００３】
無線通信システムは、例えば音声、データ、ビデオ等のようなさまざまなタイプの通信を提供し、ユーザがどこに（例えば、建物の内部または外部など）位置していようと、ユーザが静止していようと、（例えば、車や徒歩で）移動していようと、情報を通信するように広く展開されている。これらのシステムは、利用可能なシステム・リソース（例えば、帯域幅および送信電力）を共有することにより、複数のユーザとの通信をサポートすることができる多元接続システムでありうる。このような多元接続システムは、周波数分割多元接続（ＦＤＭＡ）システム、時分割多元接続（ＴＤＭＡ）システム、符号分割多元接続（ＣＤＭＡ）システム、直交周波数分割多元接続（ＯＦＤＭＡ）システム、シングル・キャリア周波数分割多元接続（ＳＣ−ＦＤＭＡ）システム、時分割同時符号分割多元接続（ＴＤ−ＳＣＤＭＡ）システム、第３世代パートナシップ計画（３ＧＰＰ）ロング・ターム・イボリューション（ＬＴＥ）システム、ワールドワイド・インタオペラビリティ・フォー・マイクロウェーブ・アクセス（ＷｉＭＡＸ）、およびその他さまざまなものを含む。
【０００４】
無線多元接続通信システムは、複数のモバイル・デバイスのための通信を同時にサポートしうる。おのおののモバイル・デバイスは、順方向リンクおよび逆方向リンクによる送信を介して、１または複数の基地局と通信する。ここで、順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。通信リンクは、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・トゥ・ピア（Ｐ２Ｐ）無線ネットワーク構成で、他のモバイル・デバイスと（および／または基地局が他の基地局と）通信しうる。
【０００５】
無線通信システムのために、多元接続技術は、異種の無線デバイスが、市レベル、国レベル、地方レベル、あるいは地球レベルでさえも通信することを可能にする共通のプロトコルを提供するために、さまざまな通信規格に採用されている。新興の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対するエンハンスメントのセットを提供する。ＬＴＥは、スペクトル効率を改善することによってモバイル・ブロードバンド・インターネット・アクセスを良好にサポートし、コストを低減し、サービスを改善し、新たなスペクトルを活用し、ダウンリンク（ＤＬ）においてＯＦＤＭＡを、アップリンク（ＵＬ）においてＳＣ−ＦＤＭＡを、および、複数入力複数出力（ＭＩＭＯ）アンテナ技術を用いて他のオープンな規格と良好に統合するように設計されている。しかしながら、モバイル・ブロードバンド・アクセスに対する需要が増加し続けているので、ＬＴＥ技術におけるさらなる改良の必要性が存在する。好適には、これらの改善は、これらの技術を適用するその他の多元接続技術および通信規格に適用可能であるべきである。
【発明の概要】
【０００６】
本開示の態様にしたがって、無線通信を容易にする方法は、第１のノードとの第１のピア接続を提供することと、第２のノードとの第２のピア接続を提供することと、第１のピア接続と第２のピア接続とによって、第１のノードと第２のノードとの間の通信を調整することと、を備える。
【０００７】
本開示の態様にしたがって、無線通信を容易にする方法は、Ｘ２プロキシによって第１のノードとの第１のピア接続を提供することと、Ｘ２プロキシによって第２のノードとの第２のピア接続を提供することと、第１のピア接続と第２のピア接続とによって、第１のノードと第２のノードとの間のＸ２通信を調整することと、を備える。
【０００８】
本開示の態様にしたがって、無線通信を容易にする装置は、第１のノードとの第１のピア接続を提供し、第２のノードとの第２のピア接続を提供し、第１のピア接続と第２のピア接続とによって、第１のノードと第２のノードとの間の通信を調整する、ように構成された処理システムを備える。
【０００９】
本開示の態様にしたがって、無線通信を容易にする装置は、Ｘ２プロキシによって第１のノードとの第１のピア接続を提供し、Ｘ２プロキシによって第２のノードとの第２のピア接続を提供し、第１のピア接続と第２のピア接続とによって、第１のノードと第２のノードとの間のＸ２通信を調整する、ように構成された処理システムを備える。
【００１０】
本開示の態様にしたがって、無線通信を容易にする装置は、第１のノードとの第１のピア接続を提供する手段と、第２のノードとの第２のピア接続を提供する手段と、第１のピア接続と第２のピア接続とによって、第１のノードと第２のノードとの間の通信を調整する手段と、を備える
本開示の態様にしたがって、無線通信を容易にする装置は、Ｘ２プロキシによって第１のノードとの第１のピア接続を提供する手段と、Ｘ２プロキシによって第２のノードとの第２のピア接続を提供する手段と、第１のピア接続と第２のピア接続とによって、第１のノードと第２のノードとの間のＸ２通信を調整する手段と、を備える。
【００１１】
本開示の態様にしたがって、コンピュータ・プログラム製品は、装置に対して、第１のノードとの第１のピア接続を提供させ、第２のノードとの第２のピア接続を提供させ、第１のピア接続と第２のピア接続とによって、第１のノードと第２のノードとの間の通信を調整させる、ように実行可能なコードを備えるコンピュータ読取可能な媒体を備える。
【００１２】
本開示の態様にしたがって、コンピュータ・プログラム製品は、装置に対して、Ｘ２プロキシによって第１のノードとの第１のピア接続を提供させ、Ｘ２プロキシによって第２のノードとの第２のピア接続を提供させ、第１のピア接続と第２のピア接続とによって、第１のノードと第２のノードとの間のＸ２通信を調整させる、ように実行可能なコードを備えるコンピュータ読取可能な媒体を備える。
【図面の簡単な説明】
【００１３】
本開示の特徴、特性、および利点は、同一の参照符号が全体を通じて同一物を特定している図面とともに考慮された場合、以下に記載する詳細な記載からより明らかになるだろう。
【図１Ａ】図１Ａは、本開示の態様にしたがう、処理システムを適用する装置のためのハードウェア実装の例を例示する図解である。
【図１Ｂ】図１Ｂは、本開示の態様にしたがって、イボルブド・ノードＢ（すなわち、ｅノードＢまたはｅＮＢ）のためのＸ２設定を容易にするためのシステムを例示する図解である。
【図１Ｃ】図１Ｃは、本開示の態様にしたがって、Ｘ２プロキシ・インタフェース管理を容易にするためのシステムを例示する図解である。
【図２】図２は、本開示の態様にしたがう無線通信環境を例示する図解である。
【図３Ａ】図３Ａは、本開示の態様にしたがうネットワーク・アーキテクチャの例を例示する図解である。
【図３Ｂ】図３Ｂは、本開示の態様にしたがう無線通信システムを例示する図解である。
【図４】図４は、本開示の態様にしたがって、ｅノードＢのためのＸ２設定を実行するシステムを例示する図解である。
【図５】図５は、本開示の態様にしたがう、ｅノードＢのためのＸ２設定の手順を例示する図解である。
【図６】図６は、本開示の態様にしたがう、ｅノードＢのＸ２設定のためのさまざまな方法を例示する図解である。
【図７】図７は、本開示の態様にしたがう、ｅノードＢのＸ２設定のためのさまざまな方法を例示する図解である。
【図８】図８は、本開示の態様にしたがって、無線通信を容易にする方法を例示するフロー図である。
【図９】図９は、本開示のある態様にしたがう装置の機能を例示する概念図である。
【発明を実施するための形態】
【００１４】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１５】
通信システムのいくつかの態様が、さまざまな装置および方法に対する参照を用いて表されうる。これらの装置および方法は、さまざまなブロック、モジュール、構成要素、回路、ステップ、処理、アルゴリズム等（集合的に「要素」と称される）によって、以下の詳細説明に記述されており、添付図面に例示される。これらの要素は、電子ハードウェア、コンピュータ・ソフトウェア、またはこれら任意の組み合わせを用いて実現されうる。それら要素がハードウェアとしてまたはソフトウェアとして実現されるかは、特定のアプリケーションおよびシステム全体に課せられている設計制約に依存する。
【００１６】
例として、要素、要素の任意の部分、または、要素の任意の組み合わせは、１または複数のプロセッサを含む「処理システム」を用いて実現されうる。プロセッサの例は、マイクロ・プロセッサ、マイクロ・コントローラ、デジタル信号プロセッサ（ＤＳＰ）、フィールド・プログラマブル・ゲート・アレイ（ＦＰＧＡ）、プログラマブル論理デバイス（ＰＬＤ）、順序回路、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。ソフトウェアは、コンピュータ読取可能な媒体上に存在しうる。コンピュータ読取可能な媒体は、非一時的なコンピュータ読取可能な媒体でありうる。非一時的なコンピュータ読取可能な媒体は、例によれば、磁気記憶デバイス（例えばハード・ディスク、フロッピー（登録商標）ディスク、磁気ストリップ等）、光ディスク（例えば、コンパクト・ディスク（ＣＤ）、デジタル多用途ディスク（ＤＶＤ）等）、スマート・カード、フラッシュ・メモリ・デバイス（例えば、カード、スティック、キー・ドライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電子的消去可能ＰＲＯＭ（ＥＥＰＲＯＭ）、レジスタ、リムーバブル・ディスク、および、コンピュータによってアクセスされうる命令群および／またはソフトウェアを格納するためのその他任意の適切な媒体を含みうる。コンピュータ読取可能な媒体は、処理システムの内部に存在しうるか、処理システムの外部に存在するか、処理システムを含む複数のエンティティにわたって分散されうる。コンピュータ読取可能な媒体は、コンピュータ・プログラム製品内に組み込まれうる。例によれば、コンピュータ・プログラム製品は、パッケージング・マテリアル内にコンピュータ読取可能な媒体を含みうる。当業者であれば、システム全体に課せられる全体的な設計制約および特定のアプリケーションに依存して、本開示の全体にわたって示されている機能を、どうやって最良に実施するかを認識するだろう。
【００１７】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１８】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは現在、３ＧＰＰロング・ターム・イボリューション（ＬＴＥ）またはイボルブドＵＴＲＡにおけるアップリンク多元接続スキームのための動作前提である。
【００１９】
本開示の態様では、無線多元接続通信システムは、複数のモバイル・デバイスのための通信を同時にサポートするように構成される。端末はおのおのの、順方向リンクおよび逆方向リンクによる送信を介して、１または複数の基地局と通信する。順方向リンクすなわちダウンリンク（ＤＬ）は、基地局から端末への通信リンクを称し、逆方向リンクすなわちアップリンク（ＵＬ）は、端末から基地局への通信リンクを称する。この通信リンクは、単一入力単一出力、複数入力単一出力、あるいは、複数入力複数出力（ＭＩＭＯ）システムによって確立されうる。
【００２０】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。ＭＩＭＯシステムは、複数の送信アンテナおよび受信アンテナによって形成された追加のディメンションが利用される場合、向上された性能（例えば、より高いスループット、および／または、より高い信頼性）を与えうる。
【００２１】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【００２２】
直交周波数分割多重化（ＯＦＤＭ）通信システムは、システム帯域全体を、周波数サブ・チャネル、トーン、または周波数ビンとも称される、複数のサブキャリアへと効率的に分割する。ＯＦＤＭシステムの場合、送信されるべきデータ（例えば、情報ビット）は、まず、特定の符号化スキームを用いて符号化され、符号化されたビットが生成される。そして、符号化されたビットはさらに、複数のビット・シンボルへグループ化される。これらはその後、変調シンボルへマップされる。変調シンボルはおのおのの、データ送信のために使用される特定の変調スキーム（例えば、Ｍ−ＰＳＫあるいはＭ−ＱＡＭ）によって定義された信号コンステレーションに対応する。おのおのの周波数サブキャリアの帯域幅に依存しうる各時間インタバルにおいて、周波数サブキャリアのおのおので変調シンボルが送信される。したがって、ＯＦＤＭは、システム帯域幅にわたる別の減衰量によって特徴付けられうる周波数選択フェージングによって引き起こされるシステム間干渉（ＩＳＩ）と格闘するために使用されうる。
【００２３】
図１Ａは、本開示の態様にしたがう、処理システム１１４およびメモリ１０５を適用する装置１００の実装の例を例示する概念図である。例では、処理システム１１４は、バス１０２によって表されているバス・アーキテクチャを用いて実現されうる。バス１０２は、全体的な設計制約および処理システム１１４の特定のアプリケーションに依存して、任意の数の相互接続バスおよびブリッジを含みうる。バス１０２は、一般にプロセッサ１０４によって表される１または複数のプロセッサと、一般にコンピュータ読取可能な媒体１０６によって表されるコンピュータ読取可能な媒体を含むさまざまな回路を共に接続する。バス１０２はさらに、例えば、タイミング・ソース、周辺機器、電圧制御装置、および電力管理回路のようなその他さまざまな回路をリンクしうる。これらは、当該技術分野で良く知られているので、さらなる説明はしない。バス・インタフェース１０８は、バス１０２とトランシーバ１１０との間にインタフェースを提供する。トランシーバ１１０は、送信媒体を介してその他さまざまな装置と通信するための手段を提供する。装置１００の性質によって、ユーザとインタフェースするために、ユーザ・インタフェース１１２（例えば、キーパッド、タッチパッド、モニタ、ディスプレイ、スピーカ、マイクロフォン、ジョイスティック）も提供されうる。
【００２４】
プロセッサ１０４は、バス１０２の管理、および、コンピュータ読取可能な媒体１０６に格納されたソフトウェアの実行を含む一般的な処理を管理するように構成される。ソフトウェアは、プロセッサ１０４によって実行された場合、処理システム１１４に対して、特定の装置のために本明細書において記載されたさまざまな機能を実行させる。コンピュータ読取可能な媒体１０６はまた、ソフトウェアが実行されている場合に、プロセッサ１０４によって操作されるデータを格納するためにも利用されうる。
【００２５】
本開示の態様によれば、装置１００は、ピア・トゥ・ピア・ネットワークにおける無線通信を容易にするように構成されうる。装置１００は、Ｘ２プロキシによって第１のノードとの第１のピア接続を提供し、Ｘ２プロキシによって第２のノードとの第２のピア接続を提供し、第１のピア接続と第２のピア接続とによって、第１のノードと第２のノードとの間のＸ２通信を調整するように構成されうる処理システム１１４を備える。本開示のこれらおよびさまざまなその他の態様は、本明細書において、より詳しく記載される。
【００２６】
図１Ｂは、本開示の態様にしたがって、チャイルド・イボルブド・ノードＢ（すなわち、ｅノードＢまたはｅＮＢ）のためのＸ２設定を容易にするシステム１２０を例示する概念図である。実装では、システム１２０は、ユーザ機器（ＵＥ）内に存在しうる。システム１２０は、例えば受信アンテナからの信号を受信しうる受信構成要素１２２を備えうる。受信構成要素１２２は、受信した信号について、例えば、フィルタリング、増幅、ダウンコンバート等のような一般的な動作を実行しうる。受信構成要素１２２はまた、この調整された信号をデジタル化して、サンプルを取得するように構成されうる。復調器１２４は、おのおののシンボル周期について受信シンボルを取得するのみならず、受信シンボルをプロセッサ１２６に提供するように構成されうる。
【００２７】
プロセッサ１２６は、受信構成要素１２２によって受信された情報を分析、および／または、送信機１２８による送信のための情報を生成するように構成されうる。プロセッサ１２６は、システム１２０の１または複数の構成要素の制御、受信構成要素１２２によって受信された情報の分析、送信機１２８による送信のための情報の生成、および／または、システム１２０の１または複数の構成要素の制御を実行するように構成されうる。プロセッサ１２６は、さらなるＵＥとの通信を調整するように構成されたコントローラ構成要素を含みうる。
【００２８】
システム１２０はさらに、プロセッサ１２６に動作可能に接続されたメモリ１３０を備えうる。メモリ１３０は、通信を調整することに関連する情報、および、その他任意の適切な情報を格納するように構成されうる。メモリ１３０は、Ｘ２インタフェース管理に関連付けられたプロトコルを格納するように構成されうる。さまざまな態様のメモリ１３０は、限定される訳ではないが、これらおよびその他任意の適切なタイプのメモリを備えることが意図される。システム１２０は、シンボル変調器１３２を備えうる。ここで、送信機１２８は、変調された信号を送信する。
【００２９】
図１Ｃは、本開示の態様にしたがって、Ｘ２プロキシ・インタフェース管理を容易にするように構成されたシステム１４０を例示する図解である。システム１４０は、アクセス・ポイント（ＡＰ）または基地局（ＢＳ）１４２２を備えうる。図示されるように、基地局１４２は、受信アンテナ１４６によって１または複数の通信デバイス１４４（例えば、ＵＥ）から信号（単数または複数）を受信し、送信アンテナ１４８によって１または複数の通信デバイス１４４に送信する。
【００３０】
実施では、基地局１４２は、受信アンテナ１４６から情報を受信する受信機１５０を備えている。受信機１５０は、受信した情報を復調する復調器１５２に動作可能に関連付けられている。復調されたシンボルは、Ｘ２インタフェース管理に関連する情報を格納するメモリ１５６に接続されたプロセッサ１５４によって分析される。基地局は、送信機１６０による送信アンテナ１４８を介した１または複数の通信デバイス１４４への送信のために信号を多重化するための変調器１５８を備えうる。
【００３１】
図２は、本開示のある態様にしたがう無線通信環境２００を例示する図解である。無線通信環境２００は、ユーザ住宅、事業所、屋内／屋外施設２３０等を含みうる、対応する小規模ネットワーク環境内におのおの配置されたホームｅノードＢ（ＨｅＮＢ）２１０を含む複数のアクセス・ポイントＢＳを含む。ＨｅＮＢ２１０は、（例えば、ＨｅＮＢ２１０に関連付けられたクローズド加入者グループ（ＣＳＧ）に含まれるような）関連付けられたＵＥ２２０、あるいは、オプションとして、（例えば、ＨｅＮＢ２１０のＣＧＳのために構成されていない）外部またはビジターのＵＥ２２０にサービス提供するように構成されうる。おのおののＨｅＮＢ２１０はさらに、例えばＤＳＬルータ、ケーブル・モデム、電線接続によるブロードバンド、衛星インターネット接続、またはその他いくつかのブロードバンド・インターネット接続を介して、インターネット２４０およびモバイル・オペレータ・コア・ネットワーク２５０に接続される。
【００３２】
本開示の態様では、ＨｅＮＢ２１０の所有者は、ＨｅＮＢ２１０を介した無線サービスを実施するために、モバイル・オペレータ・コア・ネットワーク２５０によって提供される、例えば３Ｇモバイル・サービスのようなモバイル・サービスに加入する。ＵＥ２２０は、本明細書に記載されたさまざまな技術を用いて、マクロ・セルラ環境、および／または、住宅の小規模ネットワーク環境において動作するように構成されうる。このため、ＨｅＮＢ２１０は、任意の適切な既存のＵＥ２２０と後方互換でありうる。さらに、ＵＥ２２０は、マクロ・セル・モバイル・ネットワーク２５５に加えて、予め定められた数のＨｅＮＢ２１０、例えば、対応するユーザ住居（単数または複数）、事業所（単数または複数）、または、屋内／屋外施設２３０内に存在するＨｅＮＢ２１０によってサービス提供され、モバイル・オペレータ・コア・ネットワーク２５０のマクロ・セル・モバイル・ネットワーク２５５とのソフト・ハンドオーバ状態には無いかもしれない。本明細書に記載された態様は、３ＧＰＰ用語を使用しているが、これら態様は、３ＧＰＰ技術（リリース９９  図３Ａは、本開示の態様にしたがうロング・ターム・イボリューション（ＬＴＥ）ネットワーク・アーキテクチャ３００の実施形態を例示する図解である。ＬＴＥネットワーク・アーキテクチャ３００は、イボルブド・パケット・システム（ＥＰＳ）３００と称されうる。ＥＰＳ３００は、１または複数のユーザ機器（ＵＥ）３０２、イボルブドＵＭＴＳ地上ラジオ・アクセス・ネットワーク（Ｅ−ＵＴＲＡＮ）３０４、イボルブド・パケット・コア（ＥＰＣ）３１０、ホーム加入者サーバ（ＨＳＳ）３２０、および、オペレータのＩＰサービス３２２を含みうる。ＥＰＳは、他のアクセス・ネットワークと相互接続しうるが、簡略のために、これらエンティティ／インタフェースは図示されていない。図３Ａに図示されるように、ＥＰＳ３００は、パケット交換サービスを提供する。しかしながら、当業者であれば容易に認識するであろうが、本開示にわたって示されているさまざまな概念は、回路交換サービスを提供しているネットワークに拡張されうる。さらに、ＥＰＳ３００における装置および／またはデバイスのおのおのは、本開示の範囲から逸脱することなく、図１の装置１００を備えうることが認識されるべきである。
【００３３】
Ｅ−ＵＴＲＡＮは、イボルブド・ノードＢ（ｅノードＢ）３０６および／または１または複数のその他のｅノードＢ３０８を含んでいる。ｅノードＢ３０６は、ＵＥ３０２に向かうユーザ・プレーン・プロトコルおよび制御プレーン・プロトコルの終了を提供する。ｅノードＢ３０６は、Ｘ２インタフェース（すなわち、バックホール）を経由して１または複数のその他のｅノードＢ３０８に接続されうる。ｅノードＢ３０６は、当業者によって、基地局、基地トランシーバ局、ラジオ基地局、ラジオ・トランシーバ、トランシーバ機能、基本サービス・セット（ＢＳＳ）、拡張サービス・セット（ＥＳＳ）、またはその他いくつかの適切な用語として称されうる。ｅノードＢ３０６は、ＵＥ３０２のために、ＥＰＣ３１０へのアクセス・ポイントを提供する。ＵＥ３０２の例は、セルラ電話、スマート・フォン、セッション開始プロトコル（ＳＩＰ）電話、ラップトップ、携帯情報端末（ＰＤＡ）、衛星ラジオ、全地球測位システム（ＧＰＳ）、マルチメディア・デバイス、ビデオ・デバイス、デジタル・オーディオ・プレーヤ（例えば、ＭＰ３プレーヤ）、カメラ、ゲーム機、またはその他類似の機能デバイスを含んでいる。ＵＥ３０２はまた、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００３４】
ｅノードＢ３０６は、Ｓ１インタフェースによってＥＰＣ３１０に接続される。ＥＰＣ３１０は、モビリティ管理エンティティ（ＭＭＥ）３１２、その他のＭＭＥ３１４、サービス提供ゲートウェイ３１６、およびパケット・データ・ネットワーク（ＰＤＮ）ゲートウェイ３１８を含んでいる。ＭＭＥ３１２は、ＵＥ３０２とＥＰＣ３１０との間のシグナリングを処理する制御ノードである。ＭＭＥ３１２は、ベアラおよび接続管理を提供するように構成される。ユーザＩＰパケットは、ＰＤＮゲートウェイ３１８に接続されているサービス提供ゲートウェイ３１６を介して転送される。ＰＤＮゲートウェイ３１８は、ＵＥインターネット・プロトコル（ＩＰ）アドレス割当および／またはその他の機能を提供する。ＰＤＮゲートウェイ３１８は、オペレータのＩＰサービス３２２に接続される。オペレータのＩＰサービス３２２は、インターネット、イントラネット、ＩＰマルチメディア・サブシステム（ＩＭＳ）、およびＰＳストリーミング・サービス（ＰＳＳ）を含んでいる。
【００３５】
図３Ｂは、本開示の態様にしたがって、複数の基地局（ＢＳ）３６０（例えば、無線アクセス・ポイント、無線通信装置）と複数の端末３７０（例えば、ＡＴ）とを備える無線通信システム３５０を例示する。少なくとも１つのＢＳ３６０は、端末と通信する固定局であり、アクセス・ポイント（ＡＰ）、ノードＢ、イボルブド・ノードＢ（ｅノードＢ）、あるいはその他いくつかの専門用語で称されうる。ＢＳ３６０はおのおのの、例えば図３Ｂにおいて３５２ａ，３５２ｂ，３５２ｃとラベルされた地理的領域として例示されているように、特定の地理的エリアまたは有効通信範囲エリアのための通信有効範囲を提供する。用語「セル」は、この用語が使用されるコンテキストに依存して、ＢＳまたはその有効通信範囲エリアを称しうる。システム容量を改善するために、ＢＳの地理的エリア／有効通信範囲エリアは、複数のより小さなエリア３５４ａ，３５４ｂ，３５４ｃ（例えば、図８のセル３５２ａにおける１または複数のより小さなエリア）に区分されうる。これら小さなエリア３５４ａ，３５４ｂ，３５４ｃのおのおのは、それぞれの基地トランシーバ・サブシステム（ＢＴＳ）によってサービス提供されうる。用語「セクタ」は、この用語が使用されるコンテキストに依存して、ＢＴＳまたはその有効範囲エリアを称しうる。セクタ化されたセルの場合、セルのすべてのセクタのＢＴＳは一般に、このセルの基地局内に共存する。本明細書に記載された送信技術は、セクタ化されたセルを備えたシステムのみならず、セクタ化されていないセルを備えたシステムのためにも使用されうる。本開示のいくつかの態様では、用語「基地局」は、セクタにサービス提供する固定局のみならず、セルにサービス提供する固定局を称する場合も称しない場合もありうる。
【００３６】
実施では、１または複数の端末３７０が、システム３５０にわたって分布しており、おのおのの端末３７０は、据置式または移動式でありうる。これら端末３７０はまた、モバイル装置、移動局、ユーザ機器（ＵＥ）、ユーザ・デバイス、無線通信装置、アクセス端末（ＡＴ）、ユーザ端末、あるいはその他のある専門用語で称されうる。端末３７０はおのおの、例えば、セルラ電話、携帯情報端末（ＰＤＡ）、無線モデム・カード等のような無線通通信デバイスを備えうる。端末３７０はおのおのの、所与の瞬間において、ダウンリンク（例えば、ＤＬ）およびアップリンク（例えば、ＵＬ）で０，１，または複数のＢＳと通信しうる。ＤＬは、基地局から端末への順方向通信リンクを称し、ＵＬは、端末から基地局への逆方向通信リンクを称する。
【００３７】
集中型アーキテクチャの場合、システム・コントローラ３８０が、基地局３６０に接続し、ＢＳ３６０のための調整および制御を提供する。分散型アーキテクチャの場合、ＢＳ３６０は、（例えば、ＢＳ３６０と通信可能に接続している有線または無線のバックホール・ネットワークによって）必要に応じて互いに通信しうる。ＤＬにおけるデータ送信は、システム３５０のＤＬによってサポートされうる最大データ・レートまたはその近傍で、１つのアクセス・ポイントから１つのアクセス端末へと生じうる。ＤＬの追加チャネル（例えば、制御チャネル）は、複数のアクセス・ポイントから１つのアクセス端末へ送信されうる。ＵＬにおけるデータ通信が、１つのアクセス端末から１または複数のアクセス・ポイントへ生じうる。
【００３８】
図４は、本開示の態様にしたがって、チャイルドｅノードＢのＸ２設定を実行するように構成されたシステム４００を例示する図解である。実装では、ｅノードＢが近隣に提供するサービスを、Ｘ２インタフェース・アプリケーション・プロトコル（Ｘ２ＡＰ）が指定する。Ｘ２ＡＰは、Ｅ−ＵＴＲＡＮ（イボルブドＵＭＴＳ［Universal Mobile Telecommunications System］地上ラジオ・アクセス・ネットワーク）内のユーザ機器（ＵＥ）モビリティを取り扱うために使用される手順と、少なくとも２つのピアｅノードＢ間の非ＵＥ特定動作を取り扱うために使用される手順と、を備える。
【００３９】
ＬＴＥネットワークでは、実装にしたがって、ドナーｅノードＢ（ＤｅノードＢ）は、例えばＲｅノードＢ（リレーｅノードＢ）およびＨｅノードＢ（ホームｅノードＢ）のようなチャイルドｅノードＢを有しうる。チャイルドｅノードＢは、チャイルドｅノードＢとＤｅノードＢとの間のバックホール・リンクによってサービス提供されうる。チャイルドｅノードＢ（チャイルドｅノードＢまたはＨｅノードＢ）は、ＤｅノードＢと、ＤｅノードＢの外側にあるその他いくつかのｅノードＢとを含む、対象となる各ｅノードＢとの個別のＸ２ＡＰインタフェースを維持するように構成されうる。これら複数のＸ２インタフェースによって引き起こされる通信および動作上のオーバヘッドは、望ましくないことがありうる。実施では、Ｘ２プロキシは、チャイルドｅノードＢによって取り扱われるＸ２インタフェースの数を減らすために、ＤｅノードＢに（または、ＤｅノードＢの外側に）配置されうる。Ｘ２プロキシを配置することによって、チャイルドｅノードＢは、Ｘ２プロキシへ向かう単一のＸ２インタフェースを維持する一方、Ｘ２プロキシの外側にあるその他すべてのｅノードＢは、Ｘ２プロキシの下のセルであるように見える。
【００４０】
チャイルドｅノードＢは、外部ｅノードＢとのＸ２  ＡＰ（Ｘ２アプリケーション・プロトコル）通信チャネルを確立する前に、外部ｅノードＢのＩＰ（インターネット・プロトコル）アドレスを獲得するために、ＭＭＥ（モビリティ管理エンティティ）へＳ１メッセージを送信しうる。しかしながら、チャイルドｅノードＢと外部ｅノードＢとの間にＸ２プロキシがある場合、チャイルドｅノードＢの観点からの外部ｅノードＢのＩＰアドレスは、単にＸ２プロキシのＩＰアドレスでありうる。したがって、Ｘ２インタフェースは、チャイルドｅノードＢとＸ２プロキシとの間、およびＸ２プロキシと外部ｅノードＢとの間で確立されうる。この動作をサポートするために、システム４００は、チャイルドｅノードＢと、Ｘ２プロキシの外部にある外部ｅノードＢとの間にＸ２プロキシがある場合、チャイルドｅノードＢのためのＸ２設定手順を提供するように構成される。
【００４１】
図４に示すように、システム４００は、開示の態様にしたがって、ドナーｅノードＢ（すなわち、ＤｅノードＢまたはＤｅＮＢ）でありうるノード４０２を備える。ノード４０２は、第１のネットワーク・エンティティ４０４と、少なくとも第２のネットワーク・エンティティ４０６と通信するように構成されうる。第１のネットワーク・エンティティ４０４は、チャイルドｅノードＢを備え、第２のネットワーク・エンティティ４０６（またはその他のネットワーク・エンティティ）は、モビリティ管理エンティティ（ＭＭＥ）、ターゲットｅノードＢ、またはその他いくつかのネットワーク・エンティティ（またはその他いくつかのネットワーク・ノード）を備えうる。
【００４２】
ノード４０２は、第１のネットワーク・エンティティ４０４からの要求をインターセプトするように構成されたインターセプト構成要素４０８を備えうる。この要求は、チャイルドｅノードＢ（例えば、第１のネットワーク・エンティティ４０４）から送られ、モビリティ管理エンティティ（例えば、第２のネットワーク・エンティティ４０６）へ向けられうる。この要求はＳ１−ＡＰを介して受信され、セル・グローバル・アイデンティティ、または、複数のセル・グローバル・アイデンティティからなるセットのインターネット・プロトコル・アドレスに向けられうる。評価構成要素４１０は、セル・グローバル・アイデンティティ、または、複数のセル・グローバル・アイデンティティからなるセットが、ノード４０２に属しているか否かを確認するように構成される。
【００４３】
Ｘ２設定構成要素４１２は、セル・グローバル・アイデンティティ、または、複数のセル・グローバル・アイデンティティからなるセットが、ノード４０２に属しているか否かに依存して、ネスト（nest）されたＸ２設定を選択的に実行するように構成される。例えば、セル・グローバル・アイデンティティ、または、複数のセル・グローバル・アイデンティティからなるセットが、（ノード４０２ではなく）外部ｅノードＢに属すると評価構成要素４１０が判定した場合、Ｘ２設定構成要素４１２は、Ｘ２インタフェースが確立されているか否かを判定する。Ｘ２インタフェースが設立されている場合、Ｘ２設定構成要素４１２は、ネストされたＸ２設定を実行しないことを決定する。
【００４４】
実施では、評価構成要素４１０は、セル・グローバル・アイデンティティ、または、複数のセル・グローバル・アイデンティティからなるセットが、ノード４０２に属していないと判定するように構成されうる。この実例では、Ｘ２設定構成要素４１２は、ネストされたＸ２設定を実行しないことを決定しうる。
【００４５】
実施では、評価構成要素４１０は、セル・グローバル・アイデンティティ、または、複数のセル・グローバル・アイデンティティからなるセットが、外部ｅノードＢに属していると判定するように構成されうる。この実例では、Ｘ２設定構成要素４１２（または、その他の構成要素）は、第１のＸ２インタフェースが確立されていないと判定し、この要求をＭＭＥへ転送しうる。Ｘ２設定構成要素４１２（または、その他の構成要素）は、外部ｅノードＢのＩＰアドレスを取得し、外部ｅノードＢとの第２のＸ２インタフェースを確立しうる。
【００４６】
実施では、通信構成要素４１４は、インターネット・プロトコル（ＩＰ）アドレスを含む応答を、第１のネットワーク・エンティティ４０４（例えば、チャイルドｅノードＢ）に送信するように構成されうる。ＩＰアドレスは、Ｘ２プロキシ・インターネット・プロトコル・アドレスでありうる。
【００４７】
システム４００は、ノード４０２に動作可能に接続されたメモリ４１６を備えうる。メモリ４１６は、ノード４０２の外部に存在しうるか、あるいは、ノード４０２の内部に存在しうる。メモリ４１６は、セル・グローバル・アイデンティティ、または、複数のセル・グローバル・アイデンティティからなるセットのインターネット・プロトコル・アドレスを求める要求を、チャイルドｅノードＢから受信することと、セル・グローバル・アイデンティティ、または、複数のセル・グローバル・アイデンティティからなるセットが、無線通信装置に属しているか否かを判定することと、に関連する命令群を保持しうる。メモリ４１６は、ネストされたＸ２設定を選択的に実行することと、ＩＰアドレスを含む応答を、チャイルドｅノードＢへ送信することと、に関連する命令群を格納しうる。
【００４８】
いくつかの態様によれば、受信することに関連する命令群は、この要求をインターセプトすることに関連する命令群を備えうる。この要求は、チャイルドｅノードＢからＭＭＥへ送信されたものである。送信することに関連する命令群は、Ｘ２プロキシＩＰアドレスを送信することに関連する命令群を備えうる。判定することに関連する命令群は、セル・グローバル・アイデンティティ、または、複数のセル・グローバル・アイデンティティからなるセットが、外部ｅノードＢに属していると判定することに関連する命令群を備えうる。メモリはさらに、Ｘ２インタフェースが確立されていることを判定することと、ネストされたＸ２設定を実行しないことを決定することと、に関連する命令群を保持しうる。
【００４９】
いくつかの態様によれば、判定することに関連する命令群は、セル・グローバル・アイデンティティ、または、複数のセル・グローバル・アイデンティティからなるセットが、無線通信装置に属していないと判定することに関連する命令群を備えうる。そして、選択的に実行することに関連する命令群のセットは、ネストされたＸ２設定を実行しないことを決定することに関連する命令群を備えうる。判定することに関連する命令群は、セル・グローバル・アイデンティティ、または、複数のセル・グローバル・アイデンティティからなるセットが、外部ｅノードＢに属していることを判定することに関連する命令群を備えうる。メモリ４１６は、第１のＸ２インタフェースが確立されていないと判定することと、モビリティ管理エンティティへ要求を転送することと、外部ｅノードＢのＩＰアドレスを取得することと、外部ｅノードＢとの第２のＸ２インタフェースを確立することと、に関連する命令群を保持するように構成されうる。
【００５０】
メモリ４１６は、ノードと他のデバイス等との間の通信を制御するための動作を講じる、Ｘ２設定管理に関連付けられたプロトコルを格納するように構成され、これによって、システム４００は、本明細書に記載されたように、無線ネットワークにおいて、改善された通信を達成するために、これら格納されたプロトコルおよび／またはアルゴリズムを適用できるようになる。本明細書に記載されたデータ・ストア（例えば、メモリ）構成要素は、揮発性メモリまたは不揮発性メモリであるか、あるいは、揮発性メモリと不揮発性メモリとの両方を含みうることが認識されるべきである。限定ではなく、例として、不揮発性メモリは、読取専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例として、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ（登録商標））のような多くの形式で利用可能である。開示された態様のメモリは、限定される訳ではないが、これらのタイプの、あるいは、その他の適切なタイプのメモリを備えることが意図されている。
【００５１】
少なくとも１つのプロセッサ４１８は、無線通信ネットワークにおけるＸ２設定管理を容易にするために、ノード４０２（および／またはメモリ４１６）に動作可能に接続されうる。プロセッサ４１８は、ノード４０２によって受信された情報の分析、および／または、ノード４０２によって受信される情報の生成を行うように構成されたプロセッサ、システム４００の１または複数の構成要素を制御するように構成されたプロセッサ、および／または、ノード４０２によって受信された情報の分析、ノード４０２によって受信される情報の生成、および、システム４００の１または複数の構成要素の制御を行うように構成されたプロセッサを備えうる。
【００５２】
いくつかの態様によれば、プロセッサ４１８は、Ｘ２設定を実行するように構成されうる。プロセッサ４１８は、セル・グローバル・アイデンティティ、または、複数のセル・アイデンティティからなるセットを求める要求をインターセプトするように構成された第１のモジュールを含みうる。この要求は、チャイルドｅノードＢから送信される。プロセッサ４１８は、セル・グローバル・アイデンティティ、または、複数のセル・グローバル・アイデンティティからなるセットが、少なくとも１つのプロセッサ４１８に関連付けられているか否かを確認するように構成された第２のモジュールを含みうる。プロセッサ４１８は、ネストされたＸ２設定を選択的に実行するように構成された第３のモジュールと、ＩＰアドレスを含む応答を、チャイルドｅノードＢへ送信するように構成された第４のモジュールと、を含みうる。
【００５３】
いくつかの態様によれば、プロセッサ４１８は、第１のＸ２インタフェースが確立されていないことを判定するように構成された第５のモジュールと、要求をＭＭＥへ転送するように構成された第６のモジュールと、を備える。プロセッサ４１８は、外部ｅノードＢのＩＰアドレスを取得するように構成された第７のモジュールと、外部ｅノードＢとの第２のＸ２インタフェースを確立するように構成された第８のモジュールと、を備えうる。
【００５４】
本明細書に記載および図示された典型的なシステムを考慮すると、開示された主題にしたがって実現される方法は、本明細書に記載されたさまざまなフロー・チャートを参照してより良く認識されるだろう。説明の単純化の目的のために、これら方法は一連のブロックとして図示および説明されているが、権利主張される主題は、いくつかのブロックは、本明細書に図示および記載されたものとは異なる順序で実行されたり、および／または、他のブロックと実質的に同時に実行されうるので、ブロックの数または順序によって限定されないことが理解および認識されるべきである。
【００５５】
さらに、本明細書に記載された方法を実施するために、必ずしも例示されたすべてのブロックが必要とされる訳ではない。これらブロックに関連付けられた機能は、ソフトウェア、ハードウェア、これらの組み合わせ、あるいは、その他任意の適切な手段（例えば、デバイス、システム、プロセス、構成要素）によって実現されうることが認識されるべきである。それに加えて、本明細書全体にわたり開示される方法は、これら方法をさまざまなデバイスへ伝送および転送することを容易にするために、製造物品に格納されることが可能であることが認識されるべきである。当業者であれば、方法は、代わりに、本開示の範囲から逸脱することなく、例えば状態図のような一連の関連する状態またはイベントとして表現されうることを理解および認識するだろう。
【００５６】
図５は、本開示の態様にしたがう、チャイルドｅノードＢのＸ２設定の手順５００を例示する図解である。ブロックによって示されているのは、ユーザ機器（ＵＥ）５０２、チャイルドｅノードＢ５０４、ＤｅノードＢ／Ｘ２プロキシ５０６、ＭＭＥ５０８、およびターゲットｅノードＢ５１０である。チャイルドｅノードＢ５０４が、そのＵＥ５０２による新たな（例えば、以前に見られていない）ＣＧＩ（セル・グローバル・アイデンティティ）レポートを取得した場合、チャイルドｅノードＢ５０４は、新たなＣＧＩ、または、複数のＣＧＩからなる新たなセットとのＸ２通信チャネルを確立しなくてはならない。例において、ＤｅノードＢが、ターゲットｅノードＢとのＸ２インタフェースを未だに確立していないのであれば、ブロック５１２内の動作が必要とされうる。
【００５７】
実施では、手順５００は、以下のように実行されうる。
【００５８】
動作１：チャイルドｅノードＢ５０４が、新たなＣＧＩのＩＰアドレス、および／または、複数のＣＧＩからなる新たなセットのＩＰアドレスを取得するための要求を、Ｓ１−ＡＰインタフェースを介してＭＭＥ５０８へ送信するように構成される。
【００５９】
動作２：チャイルドｅノードＢ５０４から送信された要求を受信またはインターセプトすることと、ＣＧＩが、少なくとも１つの外部ｅノードＢ（例えば、ターゲットｅノードＢ５１０）または自身に属しているか否かを検証することと、をＤｅノードＢ５０６が実行するように構成される。例において、ＣＧＩがＤｅノードＢ５０６に属していない場合、ＤｅノードＢ５０６は、ＣＧＩのＩＰアドレスがＸ２プロキシのＩＰであることを示すために、チャイルドｅノードＢ５０４へ、Ｓ１−ＡＰ応答を返信する。
【００６０】
実施では、ＣＧＩが外部ｅノードＢに属する場合、ＤｅノードＢ５０６は、外部ｅノードＢと既にＸ２インタフェースが確立されているか否かを検証するように構成される。Ｘ２インタフェースが、外部ｅノードＢとこのＤｅノードＢ５０６との間で既に確立されている場合、ＤｅノードＢ５０６は、ＣＧＩのＩＰアドレスがＸ２プロキシのＩＰであることを示すために、チャイルドｅノードＢ５０４へＳ１−ＡＰ応答を返信するように構成される。このようなＸ２インタフェースがない場合、ＤｅノードＢ５０６は、ネストされたＸ２設定を、自身と外部ｅノードＢとの間で実行するように構成される。
【００６１】
動作３：ＤｅノードＢ５０６は、この要求を、Ｓ１−ＡＰを介してチャイルドｅノードＢのＭＭＥ５０８へ転送するように構成される。ＭＭＥ５０８は、この要求を、ターゲット外部ｅノードＢ５１０へ転送するように構成される。外部ｅノードＢ５１０は、ＩＰアドレスを提供するために、応答を、Ｓ１−ＡＰを介してＭＭＥ５０８へ送信するように構成される。ＭＭＥ５０８は、このＳ１−ＡＰ応答メッセージを、ＤｅノードＢ５０６へ転送するように構成される。
【００６２】
動作４：ＤｅノードＢ５０８は、ターゲット外部ｅノードＢ５１０のＩＰアドレスを取得した後、ターゲット外部ｅノードＢのＩＰアドレスを有する外部ｅノードＢ５１０とのＸ２インタフェースを確立するように構成される。
【００６３】
動作５：Ｘ２インタフェースが確立された後、ＤｅノードＢ５０６は、ターゲットＣＧＩのＩＰアドレスがＸ２プロキシのＩＰであることを示すために、Ｓ１−ＡＰ応答メッセージを、チャイルドｅノードＢ５０４へ返信するように構成される。
【００６４】
動作６：チャイルドｅノードＢ５０４が、自己の観点からのターゲット・セルのＩＰアドレスを受信すると、チャイルドｅノードＢ５０４は、Ｘ２プロキシのＩＰであるＩＰアドレスへ、Ｘ２  ＡＰを介して、Ｘ２設定要求を送信するように構成される。
【００６５】
実施では、チャイルドｅノードＢと、Ｘ２プロキシの外部にある外部ｅノードＢとの間にＸ２プロキシが存在する場合、図５の手順５００は、チャイルドｅノードＢのためのＸ２設定手順を備える。例において、ドナーｅノードＢは、チャイルドｅノードＢからのＳ１−ＡＰメッセージを受信またはインターセプトするように構成される。
【００６６】
図６は、本開示の態様にしたがう、チャイルドｅノードＢのＸ２設定のための方法６００を例示する図解である。実施では、方法６００は、チャイルドｅノードＢによって実行されうる。６０２において、ＣＧＩ、または、複数のＣＧＩからなるセットが、ＵＥから受信される。ＣＧＩ、または、複数のＣＧＩからなるセット（以下、単にＣＧＩと称する）は、以前にＵＥによって報告されていない新たなＣＧＩを備えうる。
【００６７】
実施では、新たなＣＧＩである場合、６０４において、新たなＣＧＩのＩＰアドレスを得る要求がＭＭＥに送信される。この要求は、Ｓ１−ＡＰインタフェースを介して送信されうる。６０６において、この要求に対する応答が受信される。例において、この応答は、ＣＧＩが、６０４における要求をインターセプトしたＤｅノードＢに属していないのであれば、ＣＧＩのＩＰアドレスは、Ｘ２プロキシのＩＰであることを示しうる。例において、６０６において受信された応答は、外部ｅノードＢと、この要求をインターセプトしたＤｅノードＢとの間に既にＸ２インタフェースが確立されているのであれば、ＣＧＩのＩＰアドレスは、Ｘ２プロキシのＩＰであることを示す。例において、６０６において受信された応答は、Ｘ２インタフェースが確立された後、ターゲットＣＧＩのＩＰアドレスは、Ｘ２プロキシのＩＰであることを示す。
【００６８】
実施では、６０８において応答（例えば、ターゲット・セルのＩＰアドレス）を受信するのとほぼ同時に、Ｘ２設定要求が送信される。このＸ２設定要求は、Ｘ２  ＡＰを介して、Ｘ２プロキシのＩＰであるターゲット・セルのＩＰアドレスへ送信されうる。
【００６９】
図７は、本開示の態様にしたがう、チャイルドｅノードＢのＸ２設定のための方法７００を例示する図解である。方法７００は、例えばドナー・ノードＢ（ＤｅノードＢ）のようなノードによって実行されうる。７０２において、チャイルドｅノードＢから、１または複数のＣＧＩのインターネット・プロトコル（ＩＰ）アドレスを求める要求が受信される。この要求は、Ｓ１−ＡＰインタフェースを介して受信されうる。ここでは、チャイルドｅノードＢが、この要求をＭＭＥへ送信し、ＤｅノードＢが、この要求をインターセプトする。
【００７０】
７０４では、ＣＧＩがＤｅノードＢに属するか、または、外部ｅノードＢに属するかの判定がなされる。７０６では、ＣＧＩがＤｅノードＢに属さない場合、チャイルドｅノードＢへ応答が送信される。この応答は、ＣＧＩのＩＰアドレスが、Ｘ２プロキシのＩＰであることを示す。この応答は、Ｓ１−ＡＰ応答でありうる。
【００７１】
７０８では、ＣＧＩが外部ｅノードＢに属する場合、外部ｅノードＢとＸ２インタフェースが既に確立されているか否かが確認されうる。Ｘ２インタフェースが、外部ｅノードＢとＤｅノードＢとの間で既に設立される場合（「はい」）、方法７００は７０６に移り、チャイルドｅノードＢに応答が送信される。この応答は、Ｓ１−ＡＰ応答でありうる。そして、ＣＧＩのＩＰアドレスが、Ｘ２プロキシのＩＰであることを示しうる。
【００７２】
７０８において、Ｘ２インタフェースが確立されていないことが確認されると（「いいえ」）、７１０において、ネストされたＸ２設定が、ＤｅノードＢと外部ｅノードＢとの間で、選択的に実行される。例では、ネストされたＸ２設定は、この要求をチャイルドｅノードＢのＭＭＥへ転送することによって実行される。この要求は、Ｓ１−ＡＰを介して送信されうる。ＭＭＥは、この要求を、ターゲット外部ｅノードＢへ転送する。ターゲット外部ｅノードＢは、（Ｓ１−ＡＰを介して）応答をＭＭＥへ返信し、ＭＭＥに、外部ｅノードＢのＩＰアドレスを通知しうる。ＭＭＥは、ＤｅノードＢへＳ１−ＡＰ応答メッセージを転送する。ターゲット外部ｅノードＢのＩＰアドレスを受信することとほぼ同時に、ＤｅノードＢは、ターゲット外部ｅノードＢのＩＰアドレスを有する外部ｅノードＢとのＸ２インタフェースを確立しうる。
【００７３】
Ｘ２インタフェースが確立された後、方法７００は、７０６に続き、ターゲットＣＧＩのＩＰアドレスがＸ２プロキシのＩＰであることを示すＳ１−ＡＰ応答メッセージがチャイルドｅノードＢへ送信される。チャイルドｅノードＢは、ＩＰアドレスを受信した後、Ｘ２  ＡＰを介して、Ｘ２プロキシのＩＰアドレスに、Ｘ２設定要求を送信する。
【００７４】
本開示の態様によれば、コンピュータ・プログラム製品は、方法７００のさまざまな態様を実行するためのコードを備える、コンピュータ読取可能な媒体を含みうる。コンピュータ読取可能な媒体は、コンピュータに対して、セル・グローバル・アイデンティティ、または、複数のセル・グローバル・アイデンティティからなるセットのインターネット・プロトコル・アドレスを求める要求を、チャイルドｅノードＢから取得させるための第１のコードからなるセットを含む。コンピュータ読取可能な媒体は、コンピュータに対して、セル・グローバル・アイデンティティ、または、複数のセル・グローバル・アイデンティティからなるセットを評価させるための第２のコードからなるセットと、コンピュータに対して、ネストされたＸ２設定を選択的に実施させるための第３のコードからなるセットとを含みうる。コンピュータ読取可能な媒体は、コンピュータに対して、インターネット・プロトコル・アドレスを含む応答を、チャイルドｅノードＢへ伝送させるための第４のコードからなるセットを含みうる。コンピュータ読取可能な媒体は、コンピュータに対して、この要求をインターセプトさせるための第５のコードからなるセットを含みうる。この要求は、チャイルドｅノードＢからモビリティ管理エンティティ（ＭＭＥ）へ送信されている。
【００７５】
図８は、本開示のある態様にしたがって無線通信を容易にする方法のフロー図８００を例示する。８１０において、この方法は、第１のノードとの第１のピア接続を提供することを備える。実施では、この方法は、Ｘ２プロキシによって、第１のノードとの第１のピア接続を提供することを備える。８１２において、この方法は、第２のノードとの第２のピア接続を提供することを備える。実施では、この方法は、Ｘ２プロキシによって、第２のノードとの第２のピア接続を提供することを備える。８１４において、この方法は、第１のピア接続と第２のピア接続とによって、第１のノードと第２のノードとの間の通信を調整することを備える。実施では、この方法は、第１のピア接続と第２のピア接続とによって、第１のノードと第２のノードとの間のＸ２通信を調整することを備える。
【００７６】
実施では、この方法はさらに、第２のノードのネットワーク・アドレスを求める要求を、第１のノードから受信することと、この要求に基づいて、第２のノードのネットワーク・アドレスを獲得することと、獲得された第２のノードのネットワーク・アドレスに基づいて、第１のピア接続と第２のピア接続とによって、第１のノードと第２のノードとの間の通信を調整することと、を備える。実施では、要求を受信することは、第１のノードとモビリティ管理エンティティ（ＭＭＥ）との間でこの要求をインターセプトすることを備えうる。この要求は、第２のノードのネットワーク・アドレスを要求するＳ１メッセージを備えうる。そして、第２のノードのネットワーク・アドレスは、第２のノードのインターネット・プロトコル（ＩＰ）アドレスを備えうる。
【００７７】
実施では、この方法はさらに、Ｘ２プロキシによって第１のノードとの第１のピア接続を確立することを備えうる。ここで、第１のピア接続は、第１のノードとの第１のＸ２通信チャネルを備えうる。この方法はさらに、Ｘ２プロキシによって第２のノードとの第２のピア接続を確立することを備える。ここで、第２のピア接続は、第２のノードとの第２のＸ２通信チャネルを備えうる。この方法はさらに、第１のノードとの第１のピア接続を確立するためにＸ２インタフェース・アプリケーション・プロトコルを利用することと、第２のノードとの第２のピア接続を確立するためにＸ２インタフェース・アプリケーション・プロトコルを利用することと、を備えうる。第１のピア接続は、第１のノードとのピア・トゥ・ピア通信のための第１のＸ２インタフェースを備えうる。そして、第２のピア接続は、第２のノードとのピア・トゥ・ピア通信のための第２のＸ２インタフェースを備えうる。
【００７８】
実施では、この方法は、ｅノードＢ（例えば、チャイルドｅノードＢまたはＤｅＮＢ）によって実施されうる。そして、第１のノードは、ＵＥまたはチャイルドｅノードＢを備えうる。そして、第２のノードは、近隣のＵＥまたは近隣のｅノードＢ（例えば、別のＵＥ、または別のチャイルドｅノードＢ）を備えうる。そして、第１のノードと第２のノードとは、例えば、ＬＴＥ通信ネットワークを含むピア・トゥ・ピア通信ネットワークにおけるピアである。
【００７９】
図９は、本開示の態様にしたがって、無線通信を容易にするように構成された装置の機能を例示するブロック図９００である。この装置は、第１のノードとの第１のピア接続を提供するように構成されたモジュール９１０と、第２のノードとの第２のピア接続を提供するように構成されたモジュール９１２と、第１のピア接続と第２のピア接続とによって、第１のノードと第２のノードとの間の通信を調整するように構成されたモジュール９１４と、を備える。実施では、モジュール９１０は、Ｘ２プロキシによって第１のノードとの第１のピア接続を提供するように構成され、モジュール９１２は、Ｘ２プロキシによって第２のノードとの第２のピア接続を提供するように構成され、モジュール９１４は、第１のピア接続と第２のピア接続とによって、第１のノードと第２のノードとの間のＸ２通信を調整するように構成される。この装置は、前述したフロー・チャートにおけるステップのおのおのを実行する追加のモジュールを含みうる。このため、前述したフロー・チャートのおのおののステップは、このモジュールによって実行され、装置は、それらのモジュールのうちの１または複数を含みうる。
【００８０】
実施では、装置はさらに、第２のノードのネットワーク・アドレスを求める要求を第１のノードから受信するように構成されたモジュールと、この要求に基づいて、第２のノードのネットワーク・アドレスを獲得するように構成されたモジュールと、獲得された第２のノードのネットワーク・アドレスに基づいて、第１のピア接続と第２のピア接続とによって、第１のノードと第２のノードとの間の通信を調整するように構成されたモジュールと、を備えうる。実施では、この装置はさらに、この要求を受信するように構成されたモジュールを備えうる。これは、第１のノードとモビリティ管理エンティティ（ＭＭＥ）との間でこの要求をインターセプトすることを備えうる。この要求は、第２のノードのネットワーク・アドレスを要求するＳ１メッセージを備えうる。そして、第２のノードのネットワーク・アドレスは、第２のノードのインターネット・プロトコル（ＩＰ）アドレスを備えうる。
【００８１】
実施では、この装置はさらに、Ｘ２プロキシによって第１のノードとの第１のピア接続を確立するように構成されたモジュールを備えうる。ここで、第１のピア接続は、第１のノードとの第１のＸ２通信チャネルを備えうる。この装置はさらに、Ｘ２プロキシによって第２のノードとの第２のピア接続を確立するように構成されたモジュールを備えうる。ここで、第２のピア接続は、第２のノードとの第２のＸ２通信チャネルを備えうる。この装置はさらに、第１のノードとの第１のピア接続を確立するためにＸ２インタフェース・アプリケーション・プロトコルを利用するように構成されたモジュールと、第２のノードとの第２のピア接続を確立するためにＸ２インタフェース・アプリケーション・プロトコルを利用するように構成されたモジュールと、を備えうる。第１のピア接続は、第１のノードとのピア・トゥ・ピア通信のための第１のＸ２インタフェースを備えうる。そして、第２のピア接続は、第２のノードとのピア・トゥ・ピア通信のための第２のＸ２インタフェースを備えうる。
【００８２】
１つの実施では、装置は、ｅノードＢ（例えば、チャイルドｅノードＢまたはＤｅＮＢ）を含みうる。そして、第１のノードは、ＵＥまたはチャイルドｅノードＢを備えうる。そして、第２のノードは、近隣のＵＥまたは近隣のｅノードＢ（例えば、別のＵＥまたは別のチャイルドｅノードＢ）を備えうる。また、第１のノードおよび第２のノードは、例えばＬＴＥ通信ネットワークを含むピア・トゥ・ピア通信ネットワークにおけるピアである。
【００８３】
図１Ａに示すように、構成では、無線通信のための装置１００は、第１のノードとの第１のピア接続を提供する手段と、第２のノードとの第２のピア接続を提供する手段と、第１のピア接続と第２のピア接続とによって、第１のノードと第２のノードとの間の通信を調整する手段と、を提供するための処理システム１１４を備える。
【００８４】
１つの実施では、装置１００は、Ｘ２プロキシによって第１のノードとの第１のピア接続を提供する手段と、Ｘ２プロキシによって第２のノードとの第２のピア接続を提供する手段と、第１のピア接続と第２のピア接続とによって、第１のノードと第２のノードとの間のＸ２通信を調整する手段と、を提供するための処理システム１１４を備える。
【００８５】
図１Ｂに示すように、構成では、無線通信のための装置１２０は、第１のノードとの第１のピア接続を提供する手段と、第２のノードとの第２のピア接続を提供する手段と、第１のピア接続と第２のピア接続とによって、第１のノードと第２のノードとの間の通信を調整する手段と、を提供するためのプロセッサ１２６を備える。
【００８６】
１つの実施では、この装置１２０は、Ｘ２プロキシによって第１のノードとの第１のピア接続を提供する手段と、Ｘ２プロキシによって第２のノードとの第２のピア接続を提供する手段と、第１のピア接続と第２のピア接続とによって、第１のノードと第２のノードとの間のＸ２通信を調整する手段と、を提供するためのプロセッサ１２６を備える。
【００８７】
図１Ｃに示すように、構成では、無線通信のための装置１４０は、第１のノードとの第１のピア接続を提供する手段と、第２のノードとの第２のピア接続を提供する手段と、第１のピア接続と第２のピア接続とによって、第１のノードと第２のノードとの間の通信を調整する手段と、を提供するためのプロセッサ１５４を備える。
【００８８】
１つの実施では、この装置１４０は、Ｘ２プロキシによって第１のノードとの第１のピア接続を提供する手段と、Ｘ２プロキシによって第２のノードとの第２のピア接続を提供する手段と、第１のピア接続と第２のピア接続とによって、第１のノードと第２のノードとの間の通信を調整する手段と、を提供するためのプロセッサ１５４を備える。
【００８９】
本明細書に記載された実施形態は、ハードウェア、ソフトウェア、ファームウェア、ミドルウェア、マイクロコード、あるいはこれらの任意の組み合わせで実現されることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００９０】
本開示の態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）と、ページング情報を転送するＤＬチャネルであるページング制御チャネル（ＰＣＣＨ）と、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）とを備える。一般に、ラジオ・リソース制御（ＲＲＣ）接続を確立した後、このチャネルは、ＭＢＭＳ（注：旧ＭＣＣＨ＋ＭＳＣＨ）を受信するＵＥ（ユーザ機器）によってのみ使用される。専用制御チャネル（ＤＣＣＨ）は、専用制御情報を送信するポイント・トゥ・ポイント双方向チャネルであり、ＲＲＣ接続を有するユーザ機器によって使用される。論理トラフィック・チャネルは、ユーザ情報を転送するために、１つのユーザ機器に専用のポイント・トゥ・ポイント双方向チャネルである専用トラフィック・チャネル（ＤＴＣＨ）を備えうる。論理トラフィック・チャネルはまた、トラフィック・データを送信するためのポイント・トゥ・マルチポイントＤＬチャネルのためのマルチキャスト・トラフィック・チャネル（ＭＴＣＨ）を備える。
【００９１】
伝送チャネルは、ＤＬ伝送チャネルとＵＬ伝送チャネルとに分類される。
【００９２】
ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ユーザ機器省電力のサポートのためのＰＣＨ（ＤＲＸサイクルが、ネットワークによってユーザ機器へ示されうる）が、セル全体にわたってブロードキャストされ、他の制御／トラフィック・チャネルのために使用されうるＰＨＹリソースへマップされる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００９３】
ＤＬ  ＰＨＹチャネルは、共通パイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有チャネル（ＤＬ−ＰＳＤＣＨ）、ＵＬ電力制御チャネル（ＵＰＣＣＨ）、ページング・インジケータ・チャネル（ＰＩＣＨ）、および負荷インジケータ・チャネル（ＬＩＣＨ）を備えうる。
【００９４】
ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、およびブロードバンド・パイロット・チャネル（ＢＰＩＣＨ）を備える。
【００９５】
主題とする開示に関連するその他の用語は、３Ｇ  第３世代、３ＧＰＰ  ＤＲＸ  第３世代パートナシップ計画、ＡＣＬＲ  隣接チャネル漏れ比率、ＡＣＰＲ  隣接チャネル電力比率、ＡＣＳ  隣接チャネル選択性、ＡＤＳ  アドバンスト設計システム、ＡＭＣ  適応変調および符号化、Ａ−ＭＰＲ  追加最大電力減少、ＡＰ  アプリケーション・プロトコル、ＡＲＱ  自動反復要求、ＢＣＣＨ  ブロードキャスト制御チャネル、ＢＴＳ  基地トランシーバ局、ＢＷ  帯域幅、ＣＤＤ  サイクリック遅延ダイバーシティ、ＣＣＤＦ  余累積分布関数、ＣＤＭＡ  符号分割多元接続、ＣＦＩ  制御フォーマット・インジケータ、Ｃｏ−ＭＩＭＯ  協調ＭＩＭＯ、ＣＰ  サイクリック・プレフィクス、ＣＰＩＣＨ  共通パイロット・チャネル、ＣＰＲＩ  共通パブリック・ラジオ・インタフェース、ＣＱＩ  チャネル品質インジケータ、ＣＲＣ  巡回冗長検査、ＣＲＳ  共通基準信号、ＣＳＩ  チャネル状態情報、ＤＣＩ  ダウンリンク制御インジケータ、ＤＦＴ  離散フーリエ変換、ＤＦＴ−ＳＯＦＤＭ  離散フーリエ変換拡散ＯＦＤＭ、ＤＬ  ダウンリンク（基地局から加入者への送信）、ＤＬ−ＳＣＨ  ダウンリンク共有チャネル、Ｄ−ＰＨＹ  ５００Ｍｂｐｓ物理レイヤ、ＤＭ−ＲＳ  復調ＲＳ（ＵＥ特有ＲＳとも称される）、ＤＳＰ  デジタル信号処理、ＤＴ  開発ツール・セット、ＤＶＳＡ  デジタル・ベクトル信号分析、ＥＤＡ  電子設計オートメーション、Ｅ−ＤＣＨ  エンハンスト専用チャネル、Ｅ−ＵＴＲＡＮ  イボルブドＵＭＴＳ地上ラジオ・アクセス・ネットワーク、ｅＭＢＭＳ  イボルブド・マルチメディア・ブロードキャスト・マルチキャスト・サービス、ｅＮｏｄｅＢ  （ｅＮＢ）、ＥＰＣ  イボルブド・パケット・コア、ＥＰＲＥ  リソース要素毎のエネルギ、ＥＴＳＩ  欧州電気通信標準協会、Ｅ−ＵＴＲＡ  イボルブドＵＴＲＡ、Ｅ−ＵＴＲＡＮ  イボルブドＵＴＲＡＮ、ＥＶＭ  誤りベクトル大きさ、および、ＦＤＤ  周波数分割デュプレクスを含む。
【００９６】
また、その他の用語は、ＦＦＴ  高速フーリエ変換、ＦＲＣ  固定基準チャネル、ＦＳ１  フレーム構造タイプ１、ＦＳ２  フレーム構造タイプ２、ＧＳＭ  グローバル・システム・フォー・モバイル通信、ＨＡＲＱ  ハイブリッド自動反復要求、ＨＤＬ  ハードウェア記述言語、ＨＩ  ＨＡＲＱインジケータ、ＨＳＤＰＡ  高速ダウンリンク・パケット・アクセス、ＨＳＰＡ  高速パケット・アクセス、ＨＳＵＰＡ  高速アップリンク・パケット・アクセス、ＩＦＦＴ  逆ＦＦＴ、ＩＯＴ  インタオペラビリティ・テスト、ＩＰ  インターネット・プロトコル、ＬＯ  局部発振器、ＬＴＥ  ロング・ターム・イボリューション、ＭＡＣ  媒体アクセス制御、ＭＢＭＳ  マルチメディア・ブロードキャスト・マルチキャスト・サービス、ＭＢＳＦＮ  単一周波数ネットワークによるマルチキャスト／ブロードキャスト、ＭＣＨ  マルチキャスト・チャネル、ＭＩＭＯ  複数入力複数出力、ＭＩＳＯ  複数入力単一出力、ＭＭＥ  モビリティ管理エンティティ、ＭＯＰ  最大出力電力、ＭＰＲ  最大電力減少、ＭＵ−ＭＩＭＯ  複数ユーザＭＩＭＯ、ＮＡＳ  非アクセス階層、ＯＢＳＡＩ  オープン基地局アーキテクチャ・インタフェース、ＯＦＤＭ  直交周波数分割多重化、ＯＦＤＭＡ  直交周波数分割多元接続、Ｐ−ＧＷ  パケット・データ・ネットワーク（ＰＤＮ）ゲートウェイ、ＰＡＰＲ  ピーク対平均電力比、ＰＡＲ  ピーク対平均比、ＰＢＣＨ  物理ブロードキャスト・チャネル、Ｐ−ＣＣＰＣＨ  プライマリ共通制御物理チャネル、ＰＣＦＩＣＨ  物理制御フォーマット・インジケータ・チャネル、ＰＣＨ  ページング・チャネル、ＰＤＣＣＨ  物理ダウンリンク制御チャネル、ＰＤＣＰ  パケット・データ集中プロトコル、ＰＤＳＣＨ  物理ダウンリンク共有チャネル、ＰＨＩＣＨ  物理ハイブリッドＡＲＱインジケータ・チャネル、ＰＨＹ  物理レイヤ、ＰＲＡＣＨ  物理ランダム・アクセス・チャネル、ＰＲＢ  物理リソース・ブロック、ＰＭＣＨ  物理マルチキャスト・チャネル、ＰＭＩ  プリコーディング行列インジケータ、Ｐ−ＳＣＨ  プライマリ同期信号、ＰＵＣＣＨ  物理アップリンク制御チャネル、および、ＰＵＳＣＨ  物理アップリンク共有チャネルを含む。
【００９７】
その他の用語は、ＱＡＭ  直交振幅変調、ＱｏＳ  サービス品質、ＱＣＩ  ＱｏＳクラス識別子、ＱＰＳＫ  直交フェーズ・シフト・キーイング、ＲＡＣＨ  ランダム・アクセス・チャネル、ＲＡＴ  ラジオ・アクセス技術、ＲＢ  リソース・ブロック、ＲＥ  リソース要素、ＲＦ  ラジオ周波数、ＲＦＤＥ  ＲＦ設計環境、ＲＬＣ  ラジオ・リンク制御、ＲＭＣ  基準測定チャネル、ＲＮＣ  ラジオ・ネットワーク・コントローラ、ＲＲＣ  ラジオ・リソース制御、ＲＲＭ  ラジオ・リソース管理、ＲＳ  基準信号、ＲＳＣＰ  受信信号符号電力、ＲＳＲＰ  基準信号受信電力、ＲＳＲＱ  基準信号受信品質、ＲＳＳＩ  受信信号強度インジケータ、ＲＴＤ  往復遅延、ＳＡＥ  システム・アーキテクチャ・イボリューション、ＳＡＰ  サービス・アクセス・ポイント、ＳＣ−ＦＤＭＡ  シングル・キャリア周波数分割多元接続、ＳＤＦ  サービス・データ・フロー、ＳＦＢＣ  空間−周波数ブロック符号化、Ｓ−ＧＷ  サービス提供ゲートウェイ、ＳＩＭＯ  単一入力複数出力、ＳＩＳＯ  単一入力単一出力、ＳＮＲ  信号対雑音比、ＳＲＳ  サウンディング基準信号、Ｓ−ＳＣＨ  セカンダリ同期信号、ＳＵ−ＭＩＭＯ  シングル・ユーザＭＩＭＯ、ＴＤＤ  時分割デュプレクス、ＴＤＭＡ  時分割多元接続、ＴＥＩＤ  トンネル・エンドポイント識別子、ＴＲ  技術報告書、ＴｒＣＨ  伝送チャネル、ＴＳ  技術仕様書、ＴＴＡ  テレコミュニケーション技術協会、ＴＴＩ  送信時間インタバル、ＵＣＩ  アップリンク制御インジケータ、ＵＥ  ユーザ機器、ＵＬ  アップリンク（加入者から基地局への送信）、ＵＬ−ＳＣＨ  アップリンク共有チャネル、ＵＭＢ  ウルトラ・モバイル・ブロードバンド、ＵＭＴＳ  ユニバーサル移動体通信システム、ＵＴＲＡ  ユニバーサル地上ラジオ・アクセス、ＵＴＲＡＮ  ユニバーサル地上ラジオ・アクセス・ネットワーク、ＶＳＡ  ベクトル信号アナライザ、Ｗ−ＣＤＭＡ  広帯域符号分割多元接続、を含む。
【００９８】
本開示の態様によれば、ハードウェア、ソフトウェア、ファームウェア、ミドルウェア、マイクロコード、あるいはこれらの任意の組み合わせで実現されることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００９９】
これら実施形態が、ソフトウェア、ファームウェア、ミドルウェアあるいはマイクロコード、プログラム・コードまたはコード・セグメントで実現される場合、例えばストレージ構成要素のようなマシン読取可能な媒体に格納される。コード・セグメントは、手順、機能、サブプログラム、プログラム、ルーチン、サブルーチン、モジュール、ソフトウェア・パッケージ、クラス、あるいは命令群、データ構造、あるいはプログラム文の任意の組み合わせを示しうる。コード・セグメントは、情報、データ、引数、パラメータ、あるいはメモリ・コンテンツの引き渡しおよび／または受け取りを行うことによって、他のコード・セグメントあるいはハードウェア回路に接続されうる。情報、引数、パラメータ、データ等は、メモリ共有、メッセージ引き渡し、トークン引き渡し、ネットワーク送信等を含む任意の適切な手段を用いて引き渡し、転送、または送信されうる。
【０１００】
本開示の態様によれば、ソフトウェアで実現される場合、これら機能は、コンピュータ読取可能媒体に格納されるか、１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。さまざまな実施では、上記の組み合わせもまた、コンピュータ読取可能な媒体の範囲内に含まれるべきである。
【０１０１】
本明細書に開示された態様に関連して記載された例示的なさまざまなロジック、論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサは、マイクロ・プロセッサでありうるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、本明細書に記載されたステップまたは動作のうちの１または複数を実行するように動作可能な１または複数のモジュールを備えうる。
【０１０２】
ソフトウェアで実現する場合、本明細書に記載された技術は、本明細書に記載された機能を実行するモジュール（例えば、手続、機能など）によって実現されうる。ソフトウェア・コードは、メモリ・ユニット内に格納され、プロセッサによって実行されうる。メモリ・ユニットは、プロセッサの内部に、またはプロセッサの外部に実装されうる。プロセッサの外部に実装される場合、メモリ・ユニットは、当該技術分野で周知であるさまざまな手段によってプロセッサに通信可能に接続されうる。さらに、少なくとも１つのプロセッサが、本明細書に記載された機能を実行するように動作可能な１または複数のモジュールを含みうる。
【０１０３】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現しうる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。それに加えて、ＣＤＭＡ２０００およびＵＭＢは、「第３世代パートナシップ計画２」（３ＧＰＰ２）と命名された機構からのドキュメントに記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【０１０４】
単一キャリア変調および周波数領域等値化を利用する単一キャリア周波数分割多元接続（ＳＣ−ＦＤＭＡ）は、開示された態様とともに利用されうる技術である。ＳＣ−ＦＤＭＡは、ＯＦＤＭＡシステムと同等のパフォーマンス、および、実質的に同程度の全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点から、低いＰＡＰＲがモバイル端末に利益をもたらすアップリンク通信において利用されうる。
【０１０５】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能なデバイス、キャリア、または媒体からアクセスすることが可能なコンピュータ・プログラムを含むことが意図される。例えば、コンピュータ読取可能な媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能な媒体を示しうる。用語「機械読取可能な媒体」は、限定されることなく、無線チャネル、および、命令群および／またはデータを格納、具備、および／または搬送することができるその他任意の媒体を含みうる。それに加えて、コンピュータ・プログラム製品は、本明細書に記載された機能をコンピュータに対して実行させるように動作可能な１または複数の命令群あるいはコードを有するコンピュータ読取可能な媒体を含みうる。
【０１０６】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これらの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械読取可能な媒体および／またはコンピュータ読取可能な媒体上の１または任意の組み合わせ、または、コードおよび／または命令群のセットとして存在する。これらは、コンピュータ・プログラム製品に組み込まれうる。
【０１０７】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。したがって、本開示の記載された態様は、特許請求の範囲のスコープ内にあるそのようなすべての変形、修正、および変更を含むことが意図される。さらに、記載された態様および／または実施形態のさまざまな構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【０１０８】
「含む」という用語が、発明を実施するための形態または特許請求の範囲のうちの何れかで使用されている限り、この用語は、「備える」という用語が、請求項における遷移語として適用される場合に解釈されるように、包括的であることが意図される。さらに、詳細説明または特許請求の範囲の何れかで使用される用語「または」は、排他的な「または」ではなくて、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【０１０９】
本明細書で使用されるように、用語「構成要素」、「モジュール」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、格納されたさまざまなデータ構造を有するさまざまなコンピュータ読取可能な媒体から実行しうる。構成要素は、例えば、１または複数のデータ・パケット（例えば、シグナルによって、ローカル・システム内の別の構成要素とインタラクトする１つの構成要素からのデータ、配信システムからのデータ、および／または、他のシステムを備えたインターネットのようなネットワークを介したデータ）を有する信号にしたがってローカル処理および／または遠隔処理によって通信することができる。
【０１１０】
さらに、さまざまな態様が、モバイル・デバイスに関連して本明細書に記載される。モバイル・デバイスはまた、加入者ユニット、加入者局、移動局、モバイル、無線端末、ノード、デバイス、遠隔局、遠隔端末、アクセス端末、ユーザ端末、端末、無線通信デバイス、無線通信装置、ユーザ・エージェント、ユーザ・デバイス、あるいはユーザ機器（ＵＥ）などと称され、システムの機能のうちのいくつかまたはすべてを備えうる。モバイル・デバイスは、セルラ電話、コードレス電話、セッション開始プロトコル（ＳＩＰ）電話、スマート・フォン、無線ローカル・ループ（ＷＬＬ）局、携帯情報端末（ＰＤＡ）、ラップトップ、ハンドヘルド通信デバイス、ハンドヘルド・コンピューティング・デバイス、衛星ラジオ、無線モデム・カード、および／または、無線システムによって通信するためのその他の制御デバイスでありうる。さらに、本明細書では、さまざまな態様が、基地局に関して記載される。基地局は、無線端末(単数または複数)と通信するために利用され、アクセス・ポイント、ノード、ノードＢ、ｅノードＢ，ｅＮＢ、またはその他いくつかのネットワーク・エンティティと称され、これらの機能のうちのいくつかまたはすべてを備えうる。
【０１１１】
さまざまな態様または特徴が、多くのデバイス、構成要素、モジュールなどを含むシステムの観点から示されるだろう。さまざまなシステムが、図面に関連して説明されたように、追加のデバイス、構成要素、モジュール等を含み、および／または、これらデバイス、構成要素、モジュール等のうちのすべてを含んでいるとは限らないことが理解および認識されるべきである。さまざまな実施では、これらアプローチの組み合わせもまた使用されうる。
【０１１２】
さらに、主題とする記載では、「典型的」という用語（およびその変形）は、例、事例、または例示として役立つことを意味するために使用される。本明細書で「典型的」と記載された任意の態様または設計は、必ずしも、他の態様または設計に対して好適であるとも、有利であるとも解釈される必要はない。むしろ、「典型的」という用語を用いることは、概念を具体的な方式で表すことが意図されている。
【図１Ａ】
2013527706.tif 000003
【図１Ｂ】
2013527706.tif 000004
【図１Ｃ】
2013527706.tif 000005
【図２】
2013527706.tif 000006
【図３Ａ】
2013527706.tif 000007
【図３Ｂ】
2013527706.tif 000008
【図４】
2013527706.tif 000009
【図５】
2013527706.tif 000010
【図６】
2013527706.tif 000011
【図７】
2013527706.tif 000012
【図８】
2013527706.tif 000013
【図９】
2013527706.tif 000014
【国際調査報告】
2013527706.tif 000015
2013527706.tif 000016
2013527706.tif 000017
2013527706.tif 000018